(57)【要約】【課題】良好な屈折率を備え、且つ特定波長の光をカットすることが可能な複合型レンズを提供する。【解決手段】  複合型レンズ１０は、球面又は粗い非球面形状に形成されたガラスレンズ１１と、ガラスレンズ１１の表面に形成された樹脂層１２とを備える。樹脂層１２は、特定波長の光を吸収する配位子を備える銅フタロシアニン、ハロゲン化銅フタロシアニン等の金属錯体をエポキシ樹脂等の樹脂に分散させ、硬化させて形成する。【選択図】図１
2006276425.tif 000002
【特許請求の範囲】
【請求項１】
特定波長の光をカットする複合型レンズであって、
レンズと、
前記レンズ表面に形成され、且つ特定波長の光を吸収する配位子を備える金属錯体を分散させた樹脂層と、を備えることを特徴とする複合型レンズ。
【請求項２】
前記配位子をフタロシアニン誘導体としたことを特徴とする請求項１に記載の複合型レンズ。
【請求項３】
前記配位子をポルフィリン誘導体としたことを特徴とする請求項１に記載の複合型レンズ。
【請求項４】
前記金属錯体の金属を銅としたことを特徴とする請求項１乃至３のいずれか１項に記載の複合型レンズ。
【発明の詳細な説明】
【技術分野】
【０００１】
本発明は、レンズ表面に樹脂層が形成された複合型レンズに関する。
【背景技術】
【０００２】
従来、カメラ、顕微鏡などの光学製品にはガラスレンズが利用されている。樹脂レンズは温度変化により光学性能が変動するため、特に高精度が要求される利用方法ではガラスレンズが好んで用いられている。
【０００３】
また、非球面形状のレンズは、高い収差補正能力を備えておりレンズの構成枚数が少ないコンパクトな光学系でも優れた結像性能を実現できるため、広く利用されている。
【０００４】
非球面形状のガラスレンズを製造する際、一般に研削加工が用いられる。研削加工はガラスレンズを一枚ずつ削るため、非球面形状のガラスレンズの製造コストは高いという問題がある。
【０００５】
そこで、球面又は粗い非球面形状に形成されたガラスレンズ上に樹脂を接合し非球面形状に形成した樹脂接合型非球面レンズ（複合型レンズ）が開発されている（例えば、特許文献１）。
【０００６】
また、従来デジタルカメラ等の撮像装置で撮像素子として用いられるＣＣＤ（Charge Coupled Devices）等は赤外領域の光にも感度を有するため、赤外領域の光によるノイズをなくすために赤外領域の光をカットするフィルタがレンズと撮像素子との間に設けられている（例えば特許文献２）。
【特許文献１】特開平０６−２７０１６６号公報
【特許文献２】特開２００４−８８１８１号公報（第１図）
【発明の開示】
【発明が解決しようとする課題】
【０００７】
しかし、ガラスレンズ上に接合される樹脂は屈折率に限界があり、特許文献１に開示された樹脂接合型非球面レンズ（複合型レンズ）には構成のバリエーションに限界があった。
【０００８】
また、近年デジタルカメラ等の撮像装置の小型化が進んでおり、小型化に対応するためには部品点数を減らすことが好ましい。そこで、特許文献２で開示されている撮像素子とレンズとの間に配置された赤外領域の光をカットするフィルタの機能をレンズに組み込み、部品点数を削減することが望まれている。
【０００９】
本発明は上記実情に鑑みてなされたものであり、良好な屈折率を備え、且つ特定波長の光をカットすることが可能な複合型レンズを提供することを目的とする。
【課題を解決するための手段】
【００１０】
本発明の第１の観点に係る複合型レンズは、
特定波長の光をカットする複合型レンズであって、
レンズと、
前記レンズ表面に形成され、且つ特定波長の光を吸収する配位子を備える金属錯体を分散させた樹脂層とを備えることを特徴とする。
【００１１】
前記配位子は、フタロシアニン誘導体であってもよい。
【００１２】
前記配位子は、ポルフィリン誘導体であってもよい。
【００１３】
前記金属錯体の金属は、銅であってもよい。
【発明の効果】
【００１４】
本発明によれば、特定波長を吸収する配位子を備える金属錯体を分散させた樹脂をレンズ表面に形成することで、良好な屈折率を得ることができ、且つ特定波長の光をカットすることが可能な複合型レンズを提供することができる。
【発明を実施するための最良の形態】
【００１５】
本発明の実施の形態に係る複合型レンズについて図を用いて説明する。
【００１６】
本発明の実施の形態に係る複合型レンズ１０は、図１に示すようにガラスレンズ１１と、ガラスレンズ１１の表面に形成され樹脂中に特定波長の光を吸収する特性を有する配位子を備える金属錯体を分散させた樹脂層１２と、から構成される。
【００１７】
ガラスレンズ１１は、ガラスから形成されたレンズであり、ガラスレンズ１１の表面は球面又は粗い非球面に形成される。ガラスレンズ１１は、凸レンズであっても凹レンズであってもよい。また、ガラスレンズ１１の表面には、図１に示すように樹脂層１２が形成される。
【００１８】
樹脂層１２は金属錯体を分散させた樹脂から構成され、図１に示すようにレンズ１１の表面に例えば非球面形状に形成される。樹脂層１２は、ガラスレンズ１１と、例えば非球面形状に形成された金型との間に、金属錯体を分散させた未硬化の樹脂を注入し硬化させて形成される。樹脂層１２は、特定波長の光を吸収し、カットする特性を備える。樹脂層１２の特定波長の光を吸収する特性は、金属錯体の分散濃度、錯体と配位子との比率、混合させる金属錯体の種類等で制御される。また、本発明の樹脂層１２中には金属錯体が均一に分散されているため、樹脂層１２の厚みの偏りが大きいと特定波長の光をカットする機能にばらつきが生ずるおそれがある。従って、樹脂層１２の特定波長の光を吸収する特性は、樹脂層１２の厚みの勾配を調節することによっても制御される。
【００１９】
樹脂層１２を形成する樹脂としては、透光性を備える樹脂を用いることができ、具体的にはエポキシ樹脂 、不飽和ポリエステル、ポリウレタン、ウレタンアクリレート、紫外線硬化性樹脂 、変成アクリル樹脂等の熱硬化性樹脂を用いることができる。
【００２０】
金属錯体とは、金属イオンの周囲に他の原子、分子あるいはイオン等の配位子が配位結合した化合物である。金属錯体を構成する金属は、例えば銅、コバルト、鉄、ニッケル、アンチモン等の遷移金属である。本発明では金属錯体中の金属イオンによって樹脂層１２の屈折率が向上し、樹脂中に分散される金属は原子量が大きいほど樹脂層１２の屈折率を良好に向上させるため好ましい。本発明では金属錯体を構成する金属イオンとして特に銅イオンを例に挙げて説明する。
【００２１】
金属錯体の配位子としては、樹脂層１２に要求される特性に応じて、紫外領域、赤外領域等、特定波長の光を吸収する特性を備える配位子のいずれを用いることも可能である。特に配位子が疎水性である場合、配位子が分散剤として機能し金属錯体を容易に樹脂中に分散させることが可能となるので好ましい。なお、親水性の配位子を用いることも可能であり、この場合、機械的手法により金属錯体を樹脂中に分散させる。
【００２２】
本発明では、近赤外領域に光吸収特性を持つ、例えば化学式１に一般式を示すフタロシアニン系化合物を用いる。特に本実施の形態では、Ｍは銅であり、化学式２に示すＲ１〜Ｒ１６が水素原子から構成される銅フタロシアニンと、化学式３に示すＲ１〜Ｒ１６を塩素で置換したハロゲン化銅フタロシアニンとを用いる。なお、銅フタロシアニンと、ハロゲン化銅フタロシアニンとは、樹脂層１２に要求される光吸収特性を実現できるよう、適宜混合する濃度、錯体と配位子との比率を調節する。
【００２３】
【化１】
2006276425.tif 000003
【００２４】
【化２】
2006276425.tif 000004
【００２５】
【化３】
2006276425.tif 000005
【００２６】
銅フタロシアニンをジメチルスルホキシド（Dimethylsulfoxide）に溶解させ、測定した吸収スペクトルを図２に示す。銅フタロシアニンは、図２に示すように６５０ｎｍ近辺の近赤外領域に光吸収特性を備える。
【００２７】
また、ハロゲン化銅フタロシアニンをジメチルスルホキシドに溶解させ、測定した吸収スペクトルを図３に示す。ハロゲン化銅フタロシアニンは、図３に示すように６５０ｎｍ近辺の近赤外領域に光吸収特性を備える。
【００２８】
このようなフタロシアニンと、ハロゲン化銅フタロシアニンを所定の割合で混合すると６５０ｎｍ以上の近赤外領域にほぼ一定の光吸収特性が得られる。換言すれば、近赤外領域の波長の光を一定の割合でカットすることができる。
【００２９】
上述したように、本発明の実施の形態に係る複合型レンズ１０は、銅フタロシアニン及びハロゲン化銅フタロシアニンを分散させた樹脂層１２をガラスレンズ１１の表面に形成することによって、銅イオンを樹脂層１２中に均一に分散させることができるため金属を分散させない樹脂層を形成した複合型レンズと比較して屈折率を向上させることが可能である。また、本発明では特に疎水性の配位子であるフタロシアニンを配位子として用いており、フタロシアニンが分散剤としての役割を果たし、樹脂層１２中に銅イオンを容易に分散させることが可能である。
【００３０】
更に、本発明は特定の波長域に光吸収特性を備える銅フタロシアニン及びハロゲン化銅フタロシアニンを樹脂層１２中に分散させることによって、６５０ｎｍ以上の波長の近赤外領域の光を一定の割合で吸収することができる。従って、本発明によれば、金属錯体を樹脂層１２中に分散させることによって、屈折率が向上するのみならず、樹脂層１２中に分散された配位子によって特定波長の光をカットする機能を備える複合型レンズ１０を提供することができる。
【００３１】
また、樹脂層１２が形成されるガラスレンズ１１にも金属酸化物微粒子等を分散させる等により屈折率の改質を行う、又はガラスレンズ１１をガラスではなく樹脂から形成し、樹脂層１２と同様に樹脂中に金属錯体を分散させ屈折率の改質及び特定波長の光をカットする特性を備えさせることもできる。このように本発明によればガラスレンズ１１と、樹脂層１２とを様々に組み合わせることによって従来の複合型レンズと比較して、構成のバリエーションを増加させることができる。
【００３２】
上述したように、本発明の実施の形態に係る複合型レンズ１０は、レンズそのものが特定波長の光をカットする機能を有するため、複合型レンズ１０が搭載される撮像装置等の部品点数の削減に貢献することも可能である。
【００３３】
本発明は上述した実施の形態に限られず、様々な修正及び応用が可能である。
例えば、上述した実施の形態では金属錯体として銅フタロシアニンとハロゲン化銅フタロシアニンとを用いる場合を例に挙げて説明した。しかし、これに限られず銅フタロシアニンとハロゲン化銅フタロシアニン以外に近赤外領域に光吸収特性を備えるポルフィリン誘導体を配位子として備える金属錯体を混合することも可能である。また、銅フタロシアニンに代えてポルフィリン誘導体を配位子とする金属錯体を樹脂中に分散させることも可能である。
【００３４】
また、上述した実施の形態では化学式１に示すフタロシアニンのＲ１〜Ｒ１６を全て塩素（Ｃｌ）で置換した場合を例に挙げて説明したが、これらを他のハロゲン元素に置換することも可能であるし、近赤外領域等の特定波長の光吸収特性を備える官能基等に置換することも可能である。
【００３５】
また、赤外、近赤外領域の光のみならず、レンズに要求される吸収特性に応じて例えば紫外領域等、他の波長域に光吸収特性を備える金属錯体を更に混合することも可能である。これらはレンズに要求される特性、配位子の特性等の諸条件に応じて適宜調節する。
【００３６】
また、樹脂層１２中には、金属錯体だけでなく紫外線吸収剤、色素等を混入することも可能である。
【図面の簡単な説明】
【００３７】
【図１】本発明の実施の形態に係る複合型レンズを示す断面図である。
【図２】銅フタロシアニンの吸収スペクトルを示す図である。
【図３】ハロゲン化銅フタロシアニンの吸収スペクトルを示す図である。
【符号の説明】
【００３８】
１０  複合型レンズ
１１  ガラスレンズ
１２  樹脂層
【図１】
2006276425.tif 000006
【図２】
2006276425.tif 000007
【図３】
2006276425.tif 000008